(57)【要約】【課題】複数のスピーカーを制御する制御装置及び制御方法を提供する。【解決手段】マルチ-チャンネルオーディオシステムにおける再生のため、聴取領域内のそれぞれの位置に設置された複数のスピーカーを制御する装置であって、前記複数のスピーカーによって再生されるマルチ-チャンネルオーディオ信号を増幅するように構成された増幅器と、前記聴取領域内の前記複数のスピーカーのうち少なくとも一つと隣接して配置され、温度及び湿度のうち一つを感知する少なくとも一つの感知器と、テスト信号を前記制御器に伝達するように構成された検出器を含み、前記制御器は、前記複数のスピーカーの前記聴取領域内の相対的な位置を決定するとともに、前記マルチ-チャンネルオーディオ信号の電気的特性を調節することを特徴とする。【選択図】図１
2011120267.tif 000002
【特許請求の範囲】
【請求項１】
マルチ-チャンネルオーディオシステムにおける再生のため、聴取領域内のそれぞれの位置に設置された複数のスピーカーを制御する装置であって、
前記複数のスピーカーによって再生されるマルチ-チャンネルオーディオ信号を増幅するように構成された増幅器と、
前記聴取領域内の前記複数のスピーカーのうち少なくとも一つと隣接して配置され、温度及び湿度のうち一つを感知する少なくとも一つの感知器であって、前記感知器は温度または湿度のうち少なくとも一つの環境条件を感知して、感知されたデータを制御器に出力する少なくとも一つの感知器と、
前記制御器から出力されたテスト信号を受信するように構成された前記複数のスピーカーのうち、少なくとも一つによって受信された前記テスト信号を前記制御器に伝達するように構成された検出器を含み、
前記制御器は、前記複数のスピーカーのうち少なくとも一つによって伝達された前記テスト信号に基づき、前記複数のスピーカーの前記聴取領域内の相対的な位置を決定し、
前記制御器は、前記聴取領域内の前記複数のスピーカーの決定された相対的な位置に対する前記感知器からの前記感知データに応答して環境条件を補償するため、前記マルチ-チャンネルオーディオ信号の電気的特性を調節することを特徴とする装置。
【請求項２】
前記感知データを保存するためのメモリを有することを特徴とする請求項1に記載の装置。
【請求項３】
前記メモリは、前記複数のスピーカーそれぞれの相対的な位置を決定する時間に読み出された感知データを保存することを特徴とする請求項２に記載の制御装置。
【請求項４】
前記メモリは、レジスタ、ＳＲＡＭ、ＤＲＡＭ、及びフラッシュメモリのうち何れか一つであることを特徴とする請求項２に記載の制御装置。
【請求項５】
前記検出器は、超音波感知器であることを特徴とする請求項３に記載の制御装置。
【請求項６】
前記検出器は、マイクロホンとして用いられるスピーカーであることを特徴とする請求項１に記載の制御装置。
【請求項７】
前記検出器は、マイクロホンであることを特徴とする請求項１に記載の制御装置。
【請求項８】
前記制御器に伝送されたテスト信号は、前記制御器に受信される前に増幅器によって増幅されることを特徴とする請求項１に記載の制御装置。
【請求項９】
前記感知器は、前記複数のスピーカーにそれぞれ設置されることを特徴とする請求項１に記載の制御装置。
【請求項１０】
前記感知器は、温度と湿度の両方を感知することを特徴とする請求項１に記載の制御装置。
【請求項１１】
マルチ-チャンネルオーディオシステムにおける再生のため、聴取領域内のそれぞれの位置に設置された複数のスピーカーを制御する制御方法において、
前記複数のスピーカーを通じて再生される増幅されたマルチ-チャンネルオーディオ信号を増幅器から出力する段階と、
前記複数のスピーカーのうち少なくとも一つのスピーカーに隣接する聴取領域内の位置で温度と湿度少なくとも一つの環境条件を感知器によって感知し、感知されたデータを制御器に出力する段階と、
前記複数のスピーカーの聴取領域内の相対的な位置を決定する段階と、
前記制御器から出力されたテスト信号を少なくとも一つのスピーカーで受信する段階と、
前記それぞれのスピーカーで受信されたテスト信号を前記制御器に伝達する段階と、
前記スピーカーによって伝達されたテスト信号に基づき複数のスピーカーの相対的な位置を計算する段階と、
前記聴取領域内の前記複数のスピーカーの決定された相対的な位置で感知されたデータに応答して環境条件を補償するため、前記マルチ-チャンネルオーディオ信号の電気的特性を調節する段階と、を備えることを特徴とする制御方法。
【請求項１２】
前記感知器は、温度と湿度両方を感知することを特徴とする請求項１１に記載の制御方法。
【請求項１３】
前記感知データをメモリー内に保存する段階を含むことを特徴とする請求項１１に記載の制御方法。
【請求項１４】
前記スピーカーの相対的な位置を決定する時間に読み込まれた感知データを保存する段階を含むことを特徴とする請求項１３に記載の制御方法。
【請求項１５】
前記メモリは、レジスタ、ＳＲＡＭ、ＤＲＡＭ、及びフラッシュメモリのうち何れか一つであることを特徴とする請求項１３に記載の制御方法。
【請求項１６】
前記受信ステップは、マイクロホンとして用いられるスピーカーによって実行されることを特徴とする請求項１１に記載の制御方法。
【請求項１７】
前記受信ステップは、マイクロホンによって実行されることを特徴とする請求項１１に記載の制御方法。
【請求項１８】
前記テスト信号を前記制御器に伝達する段階は、無線通信によって行われることを特徴とする請求項１１に記載の制御方法。
【請求項１９】
前記感知器は、前記制御器に設置されていることを特徴とする請求項１１に記載の制御方法。
【請求項２０】
マルチ-チャンネルオーディオシステムにおける再生のため、聴取領域内のそれぞれの位置に設置された複数のスピーカーを制御する制御方法において、
前記複数のスピーカーを通じて再生される増幅されたマルチ-チャンネルオーディオ信号を増幅器から出力する段階と、
前記複数のスピーカーのうち少なくとも一つのスピーカーに隣接する聴取領域内の位置で温度と湿度少なくとも一つの環境条件を感知器によって感知し、感知されたデータを制御器に出力する段階と、
前記複数のスピーカーの聴取領域内の相対的な位置を決定する段階と、
前記制御器から出力されたテスト信号を少なくとも一つのスピーカーで受信する段階と、
前記少なくとも一つのスピーカーで受信されたテスト信号を前記制御器に伝達する段階と、
前記受信が超音波感知器によって行われ、前記スピーカーによって伝達されたテスト信号に基づき複数のスピーカーの相対的な位置を計算する段階と、
前記聴取領域内の前記複数のスピーカーの決定された相対的な位置に基づいて感知されたデータに応答して環境条件を補償するため、前記マルチ-チャンネルオーディオ信号の電気的特性を調節する段階と、を備えることを特徴とする制御方法。
【請求項２１】
前記相対的な位置は、前記複数のスピーカーのうち第１スピーカーに受信され、前記第１スピーカーにより再生された前記テスト信号に基づいて決定され、前記再生されたテスト信号は他のスピーカーにより受信されることを特徴とする請求項２０に記載の制御方法。
【請求項２２】
前記感知器は、前記各スピーカーに設置されることを特徴とする請求項２０に記載の制御方法。
【請求項２３】
前記感知器は、温度と湿度の両方を感知することを特徴とする請求項２０に記載の制御方法。
【請求項２４】
聴取領域内でそれぞれの位置に設置された複数のスピーカーを制御する制御装置において、
前記スピーカーを通じて再生されるマルチ-チャンネルオーディオ信号を増幅しかつ出力する増幅器と、
聴取領域内で気候的環境条件を感知しかつ感知されたデータを出力する少なくとも一つの感知器と、
複数のスピーカーのそれぞれで検出器によって受信されたテスト信号を出力するとともに各スピーカーからの回答信号を受信する制御器とを有し、
前記回答信号は、第１スピーカーからのテスト信号に応答して前記複数のスピーカーそれぞれが受信した信号を表し、
前記制御器は、前記回答信号に基づいて複数のスピーカーの相対的位置を決定するとともに、前記感知器からの感知データとスピーカーの相対的な位置とに基づいて補償データを決定し、
前記補償データは、マルチ-チャンネルオーディオ信号の少なくとも一つの電気的特性を調節するために用いられ、前記検出器は超音波検出器である
ことを特徴とする装置。
【請求項２５】
前記テスト信号を受信する各スピーカーに設置された検出器をさらに備えることを特徴とする請求項２４に記載の装置。
【請求項２６】
前記感知データを保存するメモリを備えることを特徴とする請求項２４に記載の装置。
【請求項２７】
前記メモリは、レジスタ、ＳＲＡＭ、ＤＲＡＭ、及びフラッシュメモリのうち何れか一つであることを特徴とする請求項２６に記載の装置。
【請求項２８】
前記相対的な位置は、前記複数のスピーカーのうち第１スピーカーに受信され、前記第１スピーカーにより再生された前記テスト信号に基づいて決定され、前記再生されたテスト信号は、他のスピーカーにより受信されることを特徴とする請求項２４に記載の装置。
【請求項２９】
聴取領域内でそれぞれの位置に設置された複数のスピーカーを制御する制御装置において、
前記スピーカーを通じて再生されるマルチ-チャンネルオーディオ信号を増幅しかつ出力する増幅器と、
前記複数のスピーカーのうちの一つに隣接して設置されて聴取領域内の環境条件を感知するとともに感知データを出力する感知器と、
前記複数のスピーカーによって受信されるテスト信号を出力するとともに、各スピーカーから回答信号を受信する制御器と、と有し、
前記回答信号は、第１スピーカーからのテスト信号に応答して前記複数のスピーカーそれぞれが受信した信号を表し、
前記制御器は、前記回答信号に基づいて複数のスピーカーの相対的位置を決定するとともに、前記スピーカーの相対的な位置に基づいて補償データを生成し、
前記制御器は、マルチ-チャンネルオーディオ信号の電気的特性を調節して前記複数のスピーカーの決定された相対的位置と感知データに基づいて環境条件を補償し、
前記感知器は、環境条件として温度と湿度のうちの一つを感知する
ことを特徴とする装置。
【請求項３０】
前記検出器は、超音波感知器であることを特徴とする請求項２９に記載の装置。
【請求項３１】
前記検出器は、マイクロホンとして用いられるスピーカーであることを特徴とする請請求項２９に記載の装置。
【請求項３２】
前記検出器は、マイクロホンであることを特徴とする請請求項２９に記載の装置。
【請求項３３】
前記検出器は、前記スピーカーのそれぞれに設置されていることを特徴とする請請求項２９に記載の装置。
【請求項３４】
前記検出器は、前記制御器に設置されていることを特徴とする請請求項２９に記載の装置。
【請求項３５】
聴取領域内で相対的な位置に設置された複数のスピーカーを制御してマルチ-チャンネルオーディオシステム内で再生する装置において、
前記複数のスピーカーを通じて再生されるマルチ-チャンネルオーディオ信号を増幅する増幅器と、
少なくとも一つの気候的環境条件を感知するとともに制御器に感知データを出力する少なくとも一つのスピーカーに隣接して設置された少なくとも一つの感知器と、
前記制御器から出力されるテスト信号を受信するとともに、各スピーカーで受信されたテスト信号を制御器に伝達するように構成されたスピーカーのそれぞれに設置された超音波検出器とを有し、
前記制御器は、スピーカーによって伝達されたテスト信号に基づいて複数のスピーカーの相対的位置を決定し、
前記制御器は、前記感知データと複数のスピーカーの決定された相対的位置とに基づいて環境条件を補償するためにマルチ-チャンネルオーディオ信号の電気的特性を調節することを特徴とする装置。
【請求項３６】
複数のスピーカーを制御する制御装置において、
前記スピーカーを通じてマルチ-チャンネルオーディオ信号を増幅するとともに出力する増幅器と、
前記複数のスピーカーによって受信されたテスト信号を出力するとともに、各スピーカーからの回答信号を受信する制御器と、を備え、
前記回答信号は、第１スピーカーから出力された前記テスト信号に応答して前記複数のスピーカーそれぞれが受信した信号を表し、
前記制御器は、前記回答信号に基づいて前記スピーカーそれぞれの相対的な位置を決定し、前記スピーカーの相対的な位置に基づいて補償データを発生させ、
前記補償データは、マルチ-チャンネルオーディオ信号を調節するために使われ、
前記少なくとも一つのスピーカーは、少なくとも一つの気候的環境条件を感知するとともに、感知データを前記制御器に出力し、
前記制御器は、感知データに基づいて環境的変化を補償するために再生信号を調節し、
前記感知器は、前記制御器内に設置される
ことを特徴とする制御装置。
【発明の詳細な説明】
【技術分野】
【０００１】
本発明は、複数のスピーカーを通じて再生される音声信号を制御するための制御装置及び方法に係り、詳細には、前記スピーカーの相対的な位置及び/または環境条件の変化に基づいて音声信号を最適に再生するためのシステム及び方法、さらに詳細には、複数のスピーカーを制御する制御装置及び制御方法に関する。
【背景技術】
【０００２】
映画館、音声スタジオ、コンサートホールのような所で、高性能の音声及び/または映像再生装置は音声及び/または映像を観客に再生するために使われる。
テレビ技術の発達と家庭で大画面を持つ高画質テレビの有用性の増加によって、ホームシアター(ｈｏｍｅ ｔｈｅａｔｅｒ)音声装置の需要は増加しつつある。
高音質の再生装置は、ＤＶＤディスクのような音声映像記録媒体から音声と映像とを読み取り可能なＤＶＤプレーヤーのような装置から音声信号を受信するための受信機を備える。前記再生装置は、音声映像プログラムを再生するための信号を増幅器に出力し、前記増幅器により増幅された信号は音声を再生するためにスピーカーに出力される。記録媒体に記録された音楽とサラウンド音声を充実に再生するために、スピーカーはサウンドトラックの他の様相を再生するために戦略的に配置される。
【０００３】
例えば、ホームシアター音声再生システムにおいて、スピーカーは、中央スピーカー、側面スピーカー、またはサブウーファーとして使われるために異なってデザインされる。
中央スピーカーは、一般的に鑑賞場所または聴取場所の正面中央に配置され、側面スピーカーは、前記聴取場所の側面に配置される。もしスピーカーが音声再生のための最適の位置から離れた位置に置かれると、前記スピーカーにより再生される信号の移動時間は、音声再生が最適の状態に及ばない結果を起こす。
【０００４】
また、温度及び/または湿度のような環境条件は音声信号の移動速度に影響を及ぼす。すなわち、最適にデザインされた場所から離れた位置に配置されたスピーカーは、音声プログラムの再生に影響を及ぼす。また、最適の音声再生のためにデザインされた位置に配置されたスピーカーにおいても、温度及び湿度のような環境条件の変化は最適の音声信号に到達する時間に影響を与えるため、音声信号の再生は最適に及ばない。
【発明の概要】
【発明が解決しようとする課題】
【０００５】
本発明が解決しようとする技術的な課題は、スピーカーの相対的な位置及び/または環境条件の変化に基づいて音声信号を最適に再生するためのシステム及び方法、さらに詳細には、複数のスピーカーを制御する制御装置及び制御方法 を提供することである。
【課題を解決するための手段】
【０００６】
前記技術的課題を達成するための複数のスピーカーを制御する制御装置は、前記スピーカーを通じて再生される再生信号を増幅する増幅器と、少なくとも一つの環境条件を感知し、感知されたデータを制御器に出力する前記複数のスピーカーのうち少なくとも一つのスピーカーに隣接する少なくとも一つの感知器を備え、前記制御器は、前記感知されたデータに基づいて環境条件の変化を補償するために前記再生信号を調節する。前記感知器は、温度と湿度とのうち何れか一つを感知する。
【０００７】
前記制御装置は、前記複数のスピーカーにそれぞれ設置されて前記制御器から出力されたテスト信号を受信し、受信した前記テスト信号を前記制御器に伝送する検出器をさらに備え、前記制御器は、前記複数のスピーカーそれぞれから出力されたテスト信号に基づいて前記複数のスピーカーそれぞれの相対的な位置を決定する。
【０００８】
前記制御器は、前記複数のスピーカーそれぞれの相対的な位置に基づいて前記複数のスピーカーそれぞれが再生する再生信号を補償するための補償データを発生させる。
前記制御装置は、前記補償データを保存するためのメモリをさらに備える。前記メモリは、前記複数のスピーカーそれぞれの相対的な位置を決定する時間に読み出された感知データを保存する。前記メモリは、レジスタ、ＳＲＡＭ、ＤＲＡＭ、及びフラッシュメモリのうち何れか一つである。前記検出器は、超音波感知器、マイクロホンとして使われるスピーカー、及びマイクロホンのうち何れか一つである。
【０００９】
前記制御器に伝送されたテスト信号は、前記制御器に伝送される前に増幅器によって増幅された信号である。前記相対的な位置は、前記複数のスピーカーのうち第１スピーカーに受信され、前記第１スピーカーにより再生された前記テスト信号に基づいて決定され、前記再生されたテスト信号は、他のスピーカーにより受信される。
【００１０】
前記感知器は、前記複数のスピーカーにそれぞれ設置される。前記感知器は、前記制御器に設置される。前記感知器は、温度と湿度とを感知する。
【００１１】
前記技術的課題を達成するための複数のスピーカーを制御する制御方法は、前記スピーカーを通じて再生される増幅された再生信号を増幅器から出力する段階と、前記複数のスピーカーのうち少なくとも一つのスピーカーに位置的に隣接する少なくとも一つの環境条件を感知器によって感知し、感知されたデータを制御器に出力する段階と、前記感知されたデータに基づいて環境条件の変化を補償するために前記再生信号を調節する段階と、を備える。前記感知器は、温度と湿度とのうち何れか一つを感知する。
【００１２】
前記制御方法は、前記制御器から出力されたテスト信号を前記複数のスピーカーそれぞれが受信する段階と、前記複数のスピーカーそれぞれが受信された前記テスト信号を前記制御器に伝送する段階と、前記複数のスピーカーそれぞれから伝送された前記テスト信号に基づいて前記複数のスピーカーの相対的な位置を計算する段階と、をさらに備える。
前記制御方法は、前記複数のスピーカーそれぞれの相対的な位置に基づいて前記複数のスピーカーそれぞれが再生する再生信号を補償するための補償データを発生させる段階をさらに備える。前記制御方法は、前記補償データをメモリに保存する段階をさらに備える。
【００１３】
前記制御方法は、前記複数のスピーカーそれぞれの相対的な位置を決定する時間に読み出された感知データをメモリに保存する段階をさらに備える。前記メモリは、レジスタ、ＳＲＡＭ、ＤＲＡＭ、及びフラッシュメモリのうち何れか一つである。
【００１４】
前記制御器から出力されたテスト信号を前記複数のスピーカーそれぞれが受信する段階は、超音波感知器、マイクロホンとして使われるスピーカー、及びマイクロホンのうち何れか一つによって行われる。前記複数のスピーカーそれぞれが受信された前記テスト信号を前記制御器に伝送する段階は、無線通信によって行われる。
【００１５】
前記相対的な位置は、前記複数のスピーカーのうち第１スピーカーに受信され、前記第１スピーカーにより再生された前記テスト信号に基づいて決定され、前記再生されたテスト信号は他のスピーカーにより受信される。
【００１６】
前記感知器は、前記複数のスピーカーにそれぞれ設置される。前記感知器は、前記制御器に設置される。前記感知器は、温度と湿度とを感知する。
【００１７】
前記技術的課題を達成するための複数のスピーカーを制御する制御装置は、前記スピーカーを通じて再生される再生信号を増幅して出力する増幅器と、テスト信号を前記複数のスピーカーに出力し、前記複数のスピーカーそれぞれから回答される回答信号を受信する制御器と、を備え、前記回答信号は、第１スピーカーから出力された前記テスト信号に応答して前記複数のスピーカーそれぞれが受信した信号を表し、前記制御器は、前記回答信号に基づいて前記複数のスピーカーそれぞれの相対的な位置を決定し、前記相対的な位置に基づいて補償データを発生させ、前記補償データは、前記再生信号を調節するのに使われる。
【００１８】
前記制御装置は、前記複数のスピーカーにそれぞれ設置された検出器をさらに備え、前記検出器は、前記テスト信号を受信する。前記検出器は、超音波感知器、マイクロホンとして使われるスピーカー、及びマイクロホンのうち何れか一つである。
【００１９】
前記制御装置は、前記複数のスピーカーのうち少なくとも一つのスピーカーに隣接するように設置された少なくとも一つの感知器をさらに備え、前記少なくとも一つの感知器は、少なくとも一つの環境条件を感知し、感知されたデータを前記制御器に出力し、前記制御器は、前記感知されたデータに基づいて環境変化を補償するための前記再生信号を調節する。
【００２０】
前記感知器は、温度と湿度とのうち何れか一つを感知する。前記制御装置は、前記補償データを保存するためのメモリをさらに備える。前記メモリは、レジスタ、ＳＲＡＭ、ＤＲＡＭ、及びフラッシュメモリのうち何れか一つである。前記相対的な位置は、前記複数のスピーカーのうち第１スピーカーに受信され、前記第１スピーカーにより再生された前記テスト信号に基づいて決定され、前記再生されたテスト信号は、他のスピーカーにより受信される。前記感知器は、前記複数のスピーカーにそれぞれ設置される。前記感知器は、前記制御器に設置される。
【発明の効果】
【００２１】
本発明に係るシステム及び方法は、スピーカーの相対的な位置及び/または環境条件の変化に基づいて音声信号を最適に再生しうる。
【図面の簡単な説明】
【００２２】
【図１】本発明の一実施の形態による音声再生システムのブロック図である。
【図２】図１の音声再生システムの制御器のブロック図である。
【図３】本発明の他の実施の形態による音声再生システムのブロック図である。
【図４】本発明のまた他の実施の形態による音声再生システムのブロック図である。
【発明を実施するための形態】
【００２３】
本発明とその動作上の利点及び本発明の実施によって達成される目的を十分に理解するためには本発明の望ましい実施の形態を例示する添付図面及び添付図面に記載された内容を参照しなければならない。
以下、添付した図面に基づき、本発明の望ましい実施の形態を説明することにより本発明を詳細に説明する。各図面に示された同じ参照符号は同じ部材を示す。
【００２４】
図１は、本発明の一実施の形態による音声再生システムのブロック図である。図１を参照すれば、音声再生システム１００は、再生器１２０、制御器１４０、増幅器１３０、インターフェース１５０、及び増幅された音声再生信号を受信するための複数のスピーカー１０１-１〜１０１-４を備える。前記再生器１２０は、ＣＤプレーヤーまたはＤＶＤプレーヤーのような音声再生装置である。また、前記再生器１２０は、マイクロホンから受信された信号を再生するための装置でもありうる。
【００２５】
前記再生器１２０から再生された音声信号は、前記増幅器１３０により増幅され、聞き取れる音声の形態に再生されるために各スピーカー１０１-１〜１０１-４に伝送される。各スピーカー１０１-１〜１０１-４は、温度及び/または湿度のような環境条件を感知するための環境条件感知器(ｅｎｖｉｒｏｎｍｅｎｔａｌ ｃｏｎｄｉｔｉｏｎ ｓｅｎｓｏｒｓ)を備える。
【００２６】
各スピーカー１０１-１〜１０１-４から感知された環境条件は、感知されたデータとして制御器１４０に伝送され、前記制御器１４０は、前記環境条件の変化を補償するために音声再生信号を変更する必要があるか否かを決定するために感知されたデータを解釈する。
【００２７】
本発明の実施の形態によって各スピーカー１０１-１〜１０１-４は、信号を伝送／受信するための送受信機を備える。前記感知されたデータは、前記スピーカーから前記送受信機により前記制御器１４０に伝送される。前記送受信機は無線で信号を送受信する超音波送受信機であることが望ましい。
【００２８】
当業者ならば感知されたデータが他の既知の手段、例えば有線接続手段を通じて前記制御器１４０に伝送されることを容易に分かる。
【００２９】
前記音声再生システム１００は、前記スピーカーの相対的な距離を決定し、前記制御器１４０は、最適に再生するために音声再生信号を変更する必要があるか否かを決定するために前記相対的な距離に対する情報を使用する。
【００３０】
図２は、制御器１４０のブロック図である。前記制御器１４０は、プロセッサー２１０、計算回路２２０、及びメモリ２３０を備える。メモリ２３０は、ＲＯＭ、フラッシュメモリ、レジスタ、またはＲＡＭが望ましい。前記ＲＯＭまたはフラッシュメモリは、プロセッサー２１０によって行われるプログラムコードを保存するために使われる。
【００３１】
前記プロセッサー２１０は、増幅器１５０を含む前記音声再生装置と位置データとに基づいて前記スピーカーの相対的な位置を計算することを含む他の機能をインターフェースし、位置データまたは前記スピーカーの感知器から受信された感知データに基づいて信号の再生を制御する。
【００３２】
前記レジスタまたはＲＡＭは、前記スピーカーから出力された感知データと位置データのようなデータを保存する。前記ＲＡＭは、ＤＲＡＭまたはＳＲＡＭでありうる。前記プロセッサー２１０は、ＣＰＵの機能を持ってデジタル化された音声信号を処理できるデジタル信号プロセッサー(ＤＳＰ)であることが望ましい。
【００３３】
前記計算回路２２０は、前記スピーカーから位置データと感知データとを受信する。前記スピーカーの相対的な位置を決定するために、テスト信号は、第１スピーカー１０１-１に伝送される。前記スピーカー１０１-１に伝送された前記テスト信号は、交互に各スピーカー１０１-２〜１０１-４に伝送される。各スピーカー１０１-２〜１０１-４からスピーカー１０１-１に伝送されたテスト信号の回答時間から、スピーカー１０１-１から各スピーカー１０１-２〜１０１-４の相対的な距離は決定されうる。
【００３４】
例えば、スピーカー１０１-３から回答される回答時間がスピーカー１０１-２と１０１-４とから回答される回答時間より長ければ、スピーカー１０１-３は、他のスピーカー１０１-２と１０１-４とよりスピーカー１０１-１からより遠く離れているか、または最長距離を有する。スピーカー１０１-２〜１０１-４から回答される信号(または位置データ）は、前記制御器１４０に伝送される。
【００３５】
メモリ２３０に保存されたプログラムモジュールは、前記位置データに基づいて前記スピーカー間の相対的な距離を決定するためにプロセッサー２１０によって行われる。このような決定から、制御器１４０は最適の位置から前記スピーカーの位置の差を補償するために実際的な音声再生信号を調節する。
【００３６】
例えば、スピーカー１０１-３が前記最適の距離より遠くあると決定されれば、スピーカー１０１-３で指定された再生信号のトーンまたは周波数は、より遠い距離の効果を補償するために一時的に調節される。
【００３７】
本発明の選択的な実施の形態によって、超音波送受信機を使用する代わりに、前記テスト信号は、スピーカー１０１-１を通じて再生され、再生されたテスト信号は、各スピーカー１０１-２〜１０１-４により受信される。
【００３８】
各スピーカー１０１-２〜１０１-４は、前記テスト信号を受信するためのマイクロホンのように作動する。前記テスト信号を受信すれば、各スピーカー１０１-２〜１０１-４は、増幅器１３０を通じて前記テスト信号の受信を制御器１４０に報告する。前記制御器１４０は、各スピーカー１０１-２〜１０１-４から受信された信号に基づいてスピーカー１０１-１と各スピーカー１０１-２〜１０１-４との相対的な距離を決定する。当業者は受信スピーカー内の実際のマイクロホンが前記テスト信号を検出するための検出器として使われるということを明確に知っている。
【００３９】
図１及び図２を参照すれば、前記制御器１４０は、前記位置データまたは各スピーカー１０１-２〜１０１-４から受信された信号の到着時間に基づいて音声再生信号を調節するための補償データを発生させる。前記補償データは、各スピーカー１０１-２〜１０１-４に伝送される信号のボリューム、遅延、位相などを変化させるために前記増幅器１３０に伝送される。前記補償データは、メモリ２３０に保存されるか、前記増幅器１３０に直接的に伝送されうる。
【００４０】
また、各スピーカー１０１-１〜１０１-４に配置された環境感知器は、周期的に温度及び/または湿度のような感知されたデータを前記制御器１４０に伝送する。感知されたデータは、前記制御器１４０のメモリ２３０に保存され、予め調節された環境条件、例えば温度５°Cまたは５°Fの変化を感知すれば、前記制御器１４０は、前記変化された環境条件を補償するために前記音声再生信号を調節する。例えば、温度５°Cまたは５°Fの変化は、スピーカーのために指定された信号に対して時間的に０.５秒の調節を要求する。
【００４１】
図３は、本発明の他の実施の形態による音声再生システムのブロック図である。各スピーカー１０１-１〜１０１-４が環境感知器を備える代わりに図３の環境感知器は、スピーカー１０１-１〜１０１-４のうちただ一つのスピーカー、例えばスピーカー２０１-１にだけ設置される。感知された信号は、スピーカー２０１-１の感知器によって制御器１４０に伝送され、全てのスピーカー２０１-１〜２０１-４のそれぞれは環境条件に基づいて調整される。
【００４２】
本発明に係る前記音声再生システム２５０は、前記環境条件が全てのスピーカー２０１-１〜２０１-４に対して本質的に同じ場所に設置されたスピーカーを有するシステムに適用される。
【００４３】
図４は、本発明のまた他の実施の形態による音声再生システムのブロック図である。図４を参照すれば、環境感知器は、スピーカー２５１-１〜２５１-４のどこにも設置されず、スピーカー２５１-１〜２５１-４と隣接する所に設置される。前記環境感知器は、制御器１４０に設置されることもある。前記制御器１４０は、前記環境感知器によって感知された変わった環境条件、例えば温度及び/または湿度に基づいて前記音声再生信号を調節する。
【００４４】
本発明は添付した図面に示された一実施の形態に基づいて説明されたが、これは例示的なものに過ぎず、当業者ならばこれより多様な変形及び均等な他実施の形態が可能である。従って、本発明の真の技術的保護範囲は特許請求の範囲によってのみ決まるべきである。
【産業上の利用可能性】
【００４５】
前述のようなシステム及び方法は、ＣＤプレーヤーまたはＤＶＤプレーヤーのような音声再生装置に使われうる。
【符号の説明】
【００４６】
１００ 音声再生システム
１０１-１〜１０１-４ スピーカー
１２０ 再生器
１３０ 増幅器
１４０ 制御器
１５０ インターフェース
【図１】
2011120267.tif 000003
【図２】
2011120267.tif 000004
【図３】
2011120267.tif 000005
【図４】
2011120267.tif 000006